(57)【特許請求の範囲】
【請求項１】
手袋本体部を有すると共に、同手袋本体部は、小指部と薬指部と中指部と人差指部と四本胴部と親指部と五本胴部とを具備する作業用手袋において、
親指部とそれ以外の少なくとも一つの指部について、これら各指部の少なくとも指先部を形成する指先形成部をプレーティング編みした作業用手袋であって、
指先形成部は、主糸として仮撚糸を使用すると共に、添糸として制電糸を使用してプレーティング編みし、かつ、制電糸は表面に全コースでプレーティングされるようにし、
指先形成部以外は、主糸複数コースに添糸単数もしくは複数コースで制電糸をプレーティング編みしたことを特徴とする作業用手袋。
【請求項２】
手袋本体部の少なくとも指先形成部と掌側部はコーティング材によりコーティングしたことを特徴とする請求項１記載の作業用手袋。
【発明の詳細な説明】
【０００１】
【発明の属する技術分野】
本発明は、全体的な通気性と柔軟性とを良好に確保したまま、物をつまむ指先形成部の強度（耐摩耗性）を高くすることができる作業用手袋に関するものである。
【０００２】
【従来の技術】
従来、作業用手袋の一形態として、手袋本体部と袖部とを具備し、手袋本体部は、小指部と薬指部と中指部と人差指部と四本胴部と親指部と五本胴部とから形成したものがあり、手袋本体部は手袋本体部糸で編織して形成している。すなわち、手袋本体部の全体を同じ糸で編織している。
【０００３】
【発明が解決しようとする課題】
ところが、上記した作業用手袋では、特に、各指部の指先部を形成する指先形成部が摩耗等により破損されて孔が開き、他の部分は何ら使用に支障がないにもかかわらず、使用不能状態となって、作業用手袋としての寿命が非常に短いという不具合がある。
【０００４】
また、作業用手袋の表面をコーティング材によりコーティングした場合にも、同様に指先形成部に孔が開いて、使用者に不快感を与えるという不具合がある。
【０００５】
本発明は、上記課題を解決することのできる作業用手袋を提供することを目的としている。
【０００６】
【課題を解決するための手段】
そこで、本発明では、手袋本体部を有すると共に、同手袋本体部は、小指部と薬指部と中指部と人差指部と四本胴部と親指部と五本胴部とを具備する作業用手袋において、親指部とそれ以外の少なくとも一つの指部について、これら各指部の少なくとも指先部を形成する指先形成部をプレーティング編みした作業用手袋であって、指先形成部は、主糸として仮撚糸を使用すると共に、添糸として制電糸を使用してプレーティング編みし、かつ、制電糸は表面に全コースでプレーティングされるようにし、指先形成部以外は、主糸複数コースに添糸単数もしくは複数コースで制電糸をプレーティング編みしたことを特徴とする作業用手袋を提供するものである。
【０００７】
ここで、プレーティング編みとは、使用形態において（着用時に）、主糸に対して添糸が整然と表面側にのみ出るように編織する編み方である。
【０００８】
また、制電糸とは、静電気を取り除く制電効果を有する糸であり、アクリル糸に硫化銅染色したものや、ナイロン、ポリエステル、アクリル等に炭素を混入したり、はさんだり、芯にして入れる等の方法で導電性をもたせたもの、又は、糸の表面に銀等を蒸着したもの等がある。そして、制電糸が具備する炭素や特殊金属等がコロナ放電効果を有して、かかるコロナ放電により静電気（電荷）を空気中の水分等に逃がす等して、静電気障害（ショート，スパーク，塵の吸着等）の発生を防止するようにしている。
【０００９】
なお、プレーティング編みは、必要に応じて、親指部と同親指部以外の少なくとも一つの指部に加えて、これら以外の各指部について行ってもよく、また、これら各指部の指先形成部だけでなく、各指部全体について行ってもよいが、使用頻度、使用用途等を勘案すると、製造コスト上は、できるだけプレーティング編みする個所を少なくするのが好ましい。
【００１０】
また、本発明は、手袋本体部の少なくとも指先形成部と掌側部はコーティング材によりコーティングしたことを特徴とする。
【００１１】
【発明を実施するための最良の形態】
以下に、本発明の実施例を図面を参照しながら説明する。
図１に示すＡは、本発明に係る作業用手袋であり、同作業用手袋Ａは、手袋本体部１と袖部２とを具備しており、手袋本体部１は、小指部３と薬指部４と中指部５と人差指部６と四本胴部７と親指部８と五本胴部９とから形成している。
【００１２】
そして、各指部３，４，５，６，８の指先部を形成する指先形成部３ａ，４ａ，５ａ，６ａ，８ａは、プレーティング編みしている。
【００１３】
しかも、指先形成部３ａ，４ａ，５ａ，６ａ，８ａは、図２及び図３に示すように、主糸１０として仮撚糸を使用すると共に、添糸１１として吸湿性繊維糸を使用してプレーティング編みしている。
【００１４】
ここで、指先形成部３ａ，４ａ，５ａ，６ａ，８ａは、１４０デニール〜３００デニールの主糸１０と６０デニール〜２２０デニールの添糸１１を使用してプレーティング編みしている。
【００１５】
そして、仮撚糸としては、ナイロン製糸，ポリエステル製糸，アクリル製糸等をウーリー加工したものを使用することができる。また、吸湿性繊維糸としては、例えば、ユニチカ（株）製の「ハイグラ」（商品名），東邦レーヨン（株）製の「高・吸・乾」（商品名）等を使用することができる。
【００１６】
また、指先形成部３ａ，４ａ，５ａ，６ａ，８ａは、主糸１０と添糸１１のいずれも仮撚糸を使用して、上記と同様にプレーティング編みすることもできる。
【００１７】
そして、指先形成部３ａ，４ａ，５ａ，６ａ，８ａは、主糸１０として仮撚糸を使用すると共に、添糸１１として制電糸を使用して、上記と同様にプレーティング編みすることもできる。
【００１８】
図４は、第２実施例としての作業用手袋Ａを示しており、同作業用手袋Ａは、基本的構造を上記第１実施例としての作業用手袋Ａと同じくしているが、図５及び図６に示すように、四本胴部７と五本胴部９を、主糸１０が３コースに添糸１１が１コースでプレーティング編みしている点で異なる。
【００１９】
図７は、第３実施例としての作業用手袋Ａを示しており、同作業用手袋Ａは、基本的構造を上記第１実施例としての作業用手袋Ａと同じくしているが、指先形成部を除く手袋本体部１は、主糸１０が３コースに添糸１１が１コースでプレーティング編みしている点で異なる。
【００２０】
図８は、第４実施例としての作業用手袋Ａを示しており、同作業用手袋Ａは、基本的構造を第１実施例としての作業用手袋Ａと同じくしているが、五本胴部９もプレーティング編みしている点で異なる。
【００２１】
図９及び図１０は、第５実施例としての作業用手袋Ａを示しており、同作業用手袋Ａは、第３実施例としての作業用手袋Ａと基本的構造を同じくしているが、手袋本体部１の少なくとも指先形成部３ａ，４ａ，５ａ，６ａ，８ａと掌側部１２を、コーティング材１３によりコーティングしている点で異なる。
【００２２】
ここで、指先形成部３ａ，４ａ，５ａ，６ａ，８ａは、プレーティング編みしているために、図１１に示すように、略均等厚にコーティングされ、また、手袋本体部１は、主糸１０が３コースで添糸１１が１コースでプレーティング編みしているために、図１２に示すように、プレーティング編み部分１４がプレーティング編みされていない部分１５に比して厚くなって、凸条の縞模様を形成している。
【００２３】
なお、主糸１０が複数コースで添糸１１も複数コースでプレーティング編みすることもできる。例えば、主糸１０が４コースで添糸１１が２コースでプレーティング編みすることもできる。
【００２４】
また、コーティング材としては、天然ゴム，ニトリルゴム（ＮＢＲ）等のゴムや、ウレタン樹脂，塩化ビニル樹脂等の合成樹脂を使用することができる。
【００２５】
上記第５実施例では、第３実施例に係る作業用手袋Ａをコーティング材１３によりコーティングしているが、同様に、第１実施例、第２実施例、及び、第４実施例に係る作業用手袋Ａをコーティング材１３によりコーティングして作業用手袋Ａを成形することもできる。
【００２６】
なお、以上に説明してきた本実施例に係る手袋本体部１では、各指部３，４，５，６，８の指先部を形成する指先形成部３ａ，４ａ，５ａ，６ａ，８ａの全てについてプレーティング編みをしているが、物をつまむのに必要な親指部８とそれ（親指部８）以外の少なくとも一つの指部の指先形成部をプレーティング編みするだけでも良い。
【００２７】
また、以上に説明してきた本実施例に係る手袋本体部１は、小指部３と薬指部４と中指部５と人差指部６と四本胴部７と親指部８と五本胴部９とから形成しているが、薬指部４と中指部５と人差し指部６の基端部に三本胴部（図示せず）を形成して、同三本胴部の縦方向の幅だけ小指部３と薬指部４の指股位置を、薬指部４と中指部５の指股位置、及び、中指部５と人差し指部６の指股位置よりも縦方向に下げた位置に形成することもできる。
【００２８】
このようにして、各指部３，４，５，６，８が手袋着用者の各指の付根部まで隙間なく装着されるようにして、手袋着用者のフィット感を良好なものとなすことができる。
【００２９】
そして、上記した三本胴部は、前記した第２実施例〜第４実施例の場合と同様に、プレーティング編みすることもできる。
【００３０】
従って、三本胴部と四本胴部７と五本胴部９は、これらのいずれの胴部もプレーティング編みしない場合と、少なくともいずれか一つの胴部をプレーティング編みする場合とを、必要に応じて採用することができる。
【００３１】
また、以上に説明してきた本実施例に係る作業用手袋Ａは、袖部２を具備しているが、同袖部２を具備しない、いわゆる袖切りタイプの作業用手袋についても本実施例を適用することができる。
【００３２】
本実施例によれば、次のような効果が得られる。
【００３３】
（１）本実施例では、親指部とそれ以外の少なくとも一つの指部とについて、これら各指部の少なくとも指先部を形成する指先形成部をプレーティング編みしている。
【００３４】
このようにして、作業用手袋の全体的な通気性と柔軟性とを良好に確保したまま、物をつまむ指先形成部の強度（耐摩耗性）を高くすることができる。
【００３５】
（２）本実施例では、指先形成部は、主糸と添糸のいずれも仮撚糸を使用してプレーティング編みしている。
【００３６】
このようにして、仮撚糸の特性の一つである伸縮性により、指先形成部の伸縮性を向上させることができ、指先形成部が着用者の指先にフィットして、遊びをなくすことができ、その結果、着用者の使用感を良好となすことができる。
【００３７】
しかも、プレーティング編みした指先形成部は、着用者の指先部を適度に締付けるために、指先部のずれがなく、逐一指先部のずれを修正する手間を省くことができて、この点からも使用感を良好となすことができると共に、物をつかむ作業等の指先作業性を良好となすことができる。
さらに、指先形成部に嵩高性（量の多い様、厚み）と保温性と風合性とをもたせることができる。
【００３８】
（３）本実施例では、指先形成部は、主糸として仮撚糸を使用すると共に、添糸として吸湿性繊維糸を使用してプレーティング編みしている。
このようにして、添糸として吸湿性繊維糸を使用しているために、指先形成部の吸汗性が良く、着用者に快適感を与えることができる。
【００３９】
しかも、手袋で扱う製品を汗等から守る製品保護性を増大させることができる。
【００４０】
（４）本実施例では、指先形成部は、主糸として仮撚糸を使用すると共に、添糸として制電糸を使用してプレーティング編みしている。
【００４１】
このようにして、添糸として制電糸を使用しているために、本発明に係る作業用手袋を着用して帯電している物に触れたり、着用者自身に帯電した静電気をコロナ放電により空気中の水分等に逃がして静電気障害の発生を防止することができる。
【００４２】
（５）本実施例では、四本胴部及び／又は五本胴部は、主糸複数コースに添糸単数若しくは複数コースでプレーティング編みしている。
【００４３】
このようにして、四本胴部及び／又は五本胴部に横縞状の凸条部を形成することができ、この凸条部がすべり止め効果と耐摩耗性とを向上させることができると共に、柔軟性を良好に保持させることができる。
【００４４】
従って、物を把る場合には、少なくとも四本胴部に上記したプレーティング編みを施しておくことにより、物を楽に、かつ、確実に把持することができる。
【００４５】
そして、手元を作業台等に付けて作業する場合には、少なくとも五本胴部に上記したプレーティング編みを施しておくことにより、同五本胴部を作業台等に押付けて、手振れを防止することができ、その結果、安全性と製品保護性と作業能率性とを向上させることができる。
【００４６】
また、色付の添糸を使用することにより、段状の縞模様を形成することができ、それによって意匠性、デザイン性、ファッション性、サイズ、及び、使用用途の識別性等をもたせることができて、付加価値を高くすることができる。
【００４７】
この際、添糸の色を選択するだけで上記効果をもたせることができるために、手袋全体を染色する場合に比べて、製造コストの低減が図れる。
【００４８】
ここで、通常、染色する場合、使用する糸を全部染色（糸の状態で染色；先染め）するか、編織後に全部染色（後染め）しているが、先染めの糸を１本や２本混入して使用すれば、杢目柄になったり、色ムラになったり、不均一な縞模様になる。
【００４９】
そこで、本発明の場合、仮に１本の糸を染色して、その糸を本発明のプレーティング糸として使用した場合、他の糸は染色せず、白色または生成色等でも、きれいな段状（縞模様）となり、意匠性や、デザイン性、ファッション性、サイズ、及び、使用用途の識別性等を明確にすることができる。
【００５０】
（６）本実施例では、指先形成部を除く手袋本体部は、主糸複数コースに添糸単数若しくは複数コースでプレーティング編みしている。
【００５１】
このようにして、すべり止め効果と耐摩耗性及び柔軟性の保持が図れて、強くて使い易い作業用手袋を提供することができる。
【００５２】
この場合も、前記（５）と同様に、意匠性、デザイン性、ファッション性、サイズ、及び、使用用途の識別性等をもたせることができて、付加価値を高くすることができる。
【００５３】
また、指先形成部以外は、主糸複数コースに添糸単数もしくは複数コースで制電糸をプレーティング編みしているために、制電糸の使用量が少くて済み、コストダウンが図れる。しかも、表面に制電糸があるために、十分な制電効果を得ることができる。
【００５４】
さらに、指先形成部は、表面に制電糸が全コースでプレーティングされているため、静電気を帯びた物に一番先に近づく指先の制電効果が一段と高くなっており、その結果、指先作業の制電効果を上げることができる。
【００５５】
（７）本実施例では、四本胴部及び／又は五本胴部もプレーティング編みしている。
【００５６】
このようにして、四本胴部及び／又は五本胴部の耐摩耗性を向上させることができると共に、指先で行う細かい作業に適した作業用手袋を提供することができる。
【００５７】
従って、物を把る場合には、少なくとも四本胴部に上記したプレーティング編みを施しておくことにより、物を楽に、かつ、確実に把持することができる。
【００５８】
そして、手元を作業台等に付けて作業する場合には、少なくとも五本胴部に上記したプレーティング編みを施しておくことにより、手袋を着用した場合に、五本胴部が適度に絞られるために手袋が逃げることがなく、よりフィットしてずれることがないから、同五本胴部を作業台等に押付け作業する場合には、手振れを防止することができて、指先作業性が向上し、その結果、安全性と製品保護性と作業能率性とを向上させることができると共に、指先で行う細かい作業に適した作業用手袋を提供することができる。
【００５９】
（８）本実施例では、指先形成部は、１４０デニール〜３００デニールの主糸と６０デニール〜２２０デニールの添糸を使用してプレーティング編みしている。
【００６０】
このようにして、６０デニール〜２２０デニールの添糸を使用しているために、適度の指先厚にすることができて、指先作業性を低下させることなく、指先形成部の耐摩耗性を向上させることができる。
【００６１】
なお、四本胴部（五本胴部）は、主糸複数コースに添糸単数若しくは複数コースでプレーティング編みし、五本胴部（四本胴部）は、プレーティング編みすることもできる。
【００６２】
また、１４０デニール〜３００デニールの大きさの主糸を使用しているために、柔軟性を低下させることなく、手袋全体の耐摩耗性とフィット性の向上が図れる。
【００６３】
（９）本実施例では、上記した（１）〜（８）の手袋本体部の少なくとも指先形成部と掌側部を、コーティング材によりコーティングしている。
【００６４】
このようにして、以下のような効果を得ることができる。
【００６５】
１）上記（１）の作業用手袋に適用した場合
【００６６】
指先形成部をプレーティング編みしている編手袋に、ゴムや合成樹脂等のコーティング材をコーティングするが、コーティング材自体が伸縮性や柔軟性を有しているために、指先形成部も適度の柔軟性を持ち、四本胴部、五本胴部、指先形成部以外の指部も柔軟性を保持させることができる。
【００６７】
ここで、一般的に、１度のコーティング加工（浸漬，垂らし掛け，スプレー等）でコーティング面の一部を厚くすることは、液の流動性（たれ）、乾燥ムラ等の面から再現性を確保することが大変困難であり、事実上生産が不可能である。
【００６８】
その点、この指先形成部をプレーティング編みした編手袋を原手として使用した場合、糸自体の捲縮性や、糸の大小、糸の重合編み等によりコーティング層の厚さをコントロールすることができて、適度（作業性に合わせて）の摩耗性や、コーティング層の厚みを最適の厚さにすることができるために、摩耗性と作業性とを同時に向上させることができる。
【００６９】
また、この場合、プレーティング編部である指先形成部は、通常の編織部分に比べ、糸の本数が増えて編み厚が厚くなるために、伸縮度および引張力が強くなり、指先形成部以外のプレーティング編みしていない部分に比べ、指先形成部は、着用者が指先の圧迫感を感じない程度に適度に締まり具合が強くなり、指先形成部を適度に絞った状態となって、指先形成部のずれがなくなり、着用者の指先にぴったりフィットするため、指先の動きに遊び性が少なく、物をつまむ作業等の指先作業性をより向上させることができる。
【００７０】
そして、コーティング材に伸縮性や柔軟性の良い素材を使用することにより、編手袋の指先作業特性をそのまま良好に確保することができる。
【００７１】
２）上記（２）の作業用手袋に適用した場合
【００７２】
指先形成部は、主糸と添糸のいずれも仮撚糸を使用してプレーティング編みしているため、仮撚糸の特性の一つである嵩高性により、プレーティング編み部分が、プレーティング編みしていない部分に比べて厚くなり、嵩高となって、コーティング加工の際、指先形成部にコーティング材を多く付着させることができて、指先形成部のコーティング面が、単にプレーティング編みを行った指先形成部よりも一段と厚くなり、指先形成部の耐剥離強度や耐摩耗強度を向上させることができる。
【００７３】
しかも、パーマネント状に形成された仮撚糸が、コーティング材の柱（筋）の役目をして、プレーティング編みを行っていない編手を原手として使用してコーティングした場合よりも、数倍の耐剥離性と耐摩耗性とを確保することができる。
【００７４】
そして、コーティング加工が一番コスト高で技術的にむずかしい指先形成部を、一度でコーティングすることができるため、通常、コーティング加工を二度繰り返す二度浸漬法（ダブルコーティング加工）等に比べて、大幅なコストダウンが図れる上に、二度浸漬法等の場合のコーティング面の硬さが硬くなって指先作業性が損われるのに対して、この発明ではその不具合も解消することができる。
【００７５】
また、コーティング材に伸縮性か柔軟性の良い素材を使用することにより、仮撚糸のプレーティングの特性を生かしたまま、耐剥離性と耐摩耗性とを向上させると共に、発塵性を低下させることができ、さらに、物をつかむ作業等の指先作業性を向上させることができる。
【００７６】
３）上記（３）の作業用手袋に適用した場合
【００７７】
吸湿性繊維糸が表面にでるようにプレーティング編みしているために、ゴムや合成樹脂等の液状コーティング材を使用した場合に、吸湿性繊維糸がコーティング材も円滑かつ確実に手袋本体部に吸着して耐剥離性と耐摩耗性とを向上させることができる。
【００７８】
４）上記（４）の作業用手袋に適用した場合
指先形成部は、主糸として仮撚糸を使用すると共に、添糸として制電糸を使用してプレーティング編みしている。
【００７９】
このようにして、コーティングを施した物でも添糸として制電糸を使用しているために、本発明に係る作業用手袋を着用して帯電している物に触れたり、着用者自身に帯電した静電気をコロナ放電により空気中の水分等に逃がして静電気障害の発生を防止することができる。しかも、耐摩耗性の向上と発塵性の低下を図ることもできる。
【００８０】
５）上記（５）の作業用手袋に適用した場合
【００８１】
四本胴部及び／又は五本胴部は、主糸複数コースで添糸単数若しくは複数コースでプレーティング編みしたために、横縞段柄状の凹凸ができて、それに添ってコーティング層が形成され、コーティング表面に凹凸があらわれて、すべり止め効果を向上させることができる。
【００８２】
また、凹凸の凸部分にプレーティング編みが施されているために、摩耗強度を向上させることができて、すべらずかつ耐摩耗性も良く、手振れがしない作業用手袋となすことができ、従って、かかる作業用手袋は、手元を作業台等につけて行う作業で、手振れをきらう作業の使用に好適なものである。
【００８３】
しかも、横縞段柄状の凹凸が、手の動きに逆わない横縞であるために、手を広げたり握ったりする動きにも支障とならない充分な柔軟性を確保することができる。
【００８４】
そこで、本発明の場合、仮に１本の糸を染色して、その糸を本発明の添糸として使用した場合、他の糸は染色せず、白色または生成色等でも、きれいな段状（縞模様）となり、意匠性、デザイン性、ファッション性、サイズ、及び、使用用途の識別性等を明確にすることができる。
【００８５】
６）上記（６）の作業用手袋に適用した場合
【００８６】
上記５）と同様の効果が得られる。
【００８７】
また、指先形成部以外は、主糸複数コースに添糸単数もしくは複数コースで制電糸をプレーティング編みしているために、制電糸の使用量が少くて済み、コストダウンが図れる。しかも、表面に制電糸があるために、十分な制電効果を得ることができる。
【００８８】
さらに、指先形成部は、表面に制電糸が全コースでプレーティングされているため、静電気を帯びた物に一番先に近づく指先の制電効果が一段と高くなっており、その結果指先作業の制電効果を上げることができる。
【００８９】
さらに、コーティングすることにより耐摩耗性の向上と、さらなる発塵性の低下を図ることができる。
【００９０】
７）上記（７）の作業用手袋に適用した場合
【００９１】
上記５）と同様の効果が得られるが、コーティングすることにより、四本胴及び／又は五本胴部を全てプレーティング編みしているために、四本胴部及び／又は五本胴部の耐摩耗性の向上と、発塵性の低下が図れ、また、手袋を着用した場合、四本胴部及び／又は五本胴部が適度に絞られるため、手袋が逃げることがなく、よりフィットしてずれることがないことから、特に手元を作業台等につけて作業する場合に、手振れを防止することができて指先作業性が向上し、安全性と製品保護性、作業能率を向上させると共に、指先で行う細かい作業に適した作業用手袋を提供することができる。
【００９２】
８）上記（８）の作業用手袋に適用した場合
【００９３】
上記１）,２）と同様の効果が得られる。
【００９４】
【発明の効果】
本発明によれば、次のような効果が得られる。
【００９５】
請求項１記載の発明では、添糸として制電糸を使用しているために、本発明に係る作業用手袋を着用して帯電している物に触れたり、着用者自身に帯電した静電気をコロナ放電により空気中の水分等に逃がして静電気障害の発生を防止することができる。この際、指先形成部は、表面に制電糸が全コースでプレーティングされているため、静電気を帯びた物に一番先に近づく指先の制電効果が一段と高くなっており、その結果、指先作業の制電効果を上げることができる。しかも、指先形成部以外は、主糸複数コースに添糸単数もしくは複数コースで制電糸をプレーティング編みしているために、制電糸の使用量が少くて済み、コストダウンが図れる。さらに、表面に制電糸があるために、十分な制電効果を得ることができる。
【００９６】
請求項２記載の発明では、指先形成部は、主糸として仮撚糸を使用すると共に、添糸として制電糸を使用してプレーティング編みしているため、仮撚糸の特性の一つである嵩高性により、プレーティング編み部分が、プレーティング編みしていない部分に比べて厚くなり、嵩高となって、コーティング加工の際、指先形成部にコーティング材を多く付着させることができる。そのため、プレーティング編みを行っていない編手を原手として使用してコーティングした場合よりも、数倍の耐剥離性と耐摩耗性とを確保することができる。この際、コーティングを施した物でも添糸として制電糸を使用しているために、本発明に係る作業用手袋を着用して帯電している物に触れたり、着用者自身に帯電した静電気をコロナ放電により空気中の水分等に逃がして静電気障害の発生を防止することができる。しかも、耐摩耗性の向上と発塵性の低下を図ることもできる。
【００９７】
【図面の簡単な説明】
【図１】本発明に係る作業用手袋の正面図。
【図２】同作業用手袋の指先形成部の拡大正面説明図。
【図３】同作業用手袋の指先形成部の拡大断面側面説明図。
【図４】第２実施例としての作業用手袋の正面図。
【図５】同作業用手袋の四本胴部と五本胴部の拡大正面説明図。
【図６】同作業用手袋の四本胴部と五本胴部の拡大断面側面説明図。
【図７】第３実施例としての作業用手袋の正面図。
【図８】第４実施例としての作業用手袋の正面図。
【図９】第５実施例としての作業用手袋の掌側部の斜視図。
【図１０】第５実施例としての作業用手袋の甲側部の斜視図。
【図１１】第５実施例としての作業用手袋の指先形成部の部分拡大断面側面説明図。
【図１２】第５実施例としての作業用手袋の指先形成部を除く指部と四本胴部と五本胴部の部分拡大断面側面説明図。
【００９８】
【符号の説明】
Ａ  作業用手袋
１  手袋本体部
２  袖部
３  小指部
４  薬指部
５ 中指部
６  人差指部
７  四本胴部
８  親指部
９  五本胴部
【図１】
0004620257.tif 000002
【図２】
0004620257.tif 000003
【図３】
0004620257.tif 000004
【図４】
0004620257.tif 000005
【図５】
0004620257.tif 000006
【図６】
0004620257.tif 000007
【図７】
0004620257.tif 000008
【図８】
0004620257.tif 000009
【図９】
0004620257.tif 000010
【図１０】
0004620257.tif 000011
【図１１】
0004620257.tif 000012
【図１２】
0004620257.tif 000013